(57)【特許請求の範囲】
【請求項１】
ダクト式空気調和機の室内ユニットにおいて、側面板を有する四角状に形成されたグリル枠と、このグリル枠の内側方向に複数切起し舌片と、断面くさび形に成形され、中央部に突当て面を設け、内側方向に上部位置決め用リブを設けた上部羽根と、内側方向に下部位置決め用リブ及びストッパーを備えた下部羽根を設けたグリルとにより構成されたことを特徴とするダクト式空気調和機。
【発明の詳細な説明】
【０００１】
【発明の属する技術分野】
この発明は、ダクト式空気調和機において吸込みグリルの金型費のコスト低減に関する。
【０００２】
【従来の技術】
一般に縦型ルームエアコンディショナーユニットは、本体レイアウト、送風機、熱交換器の配置する技術は壁に沿って又は室の角部においてほぼ床から天井まで延びるような長手のキャビネット又はハウジング内に収納されている。（例えば、特許文献参照）。
【０００３】
【特許文献】
特開昭５８−１２９３５号公報
実開平０４−５０３３１号公報
【０００４】
【発明が解決しようとする課題】
この発明のダクト式空気調和機においては、熱交換器の前面に吸込グリルを配置したり、送風機の近傍に吸込グリルを配置すると、熱交換器の風切り音、送風機の送風機音が吸込グリルから使用者側へぬけやすいという大きな問題点があった。
【０００５】
また、この発明のダクト式空気調和機においては、金型費が高くつき、小ロット生産の機種には割高となる問題点があった。
【０００６】
この発明は上記のような問題点を解決するためになされたもので、送風機及び熱交換器より吸込グリルをできるだけ離し、使用者に送風機音や風切り音が抜けにくい部品レイアウト構成を得ることを目的とする。
【０００７】
また、金型費を最小限にとどめ且つ見栄えが良い吸込グリルを得ることを目的とする。
【０００８】
【課題を解決するための手段】
この発明に係るダクト式空気調和機室内ユニットは、側面板を有する四角状に形成されたグリル枠と、このグリル枠の内側方向に複数切起し舌片と、断面くさび形に成形され、中央部に突当て面を設け、内側方向に上部位置決め用リブを設けた上部羽根と、内側方向に下部位置決め用リブ及びストッパーを備えた下部羽根を設けたグリルとにより構成されたものである。
【０００９】
【発明の実施の形態】
実施の形態１．
以下、この発明の実施の形態１を図について説明する。図１はこの発明の実施の形態１を示す断面図、図２はその分解斜視図である。図において、空気調和機本体１は、ダクトフランジ２を設けたユニット天面３と、ユニット上部に位置した送風機用ケーシング４と、内部に送風機５を設置している。送風機用ケーシング４とダクトフランジ２の間には中央部に送風路６を有する断熱アダプター７が保持されて送風機用ケーシング４の熱伝導をユニット天面３及びダクトフランジ２へ伝わりにくくしている。送風機用ケーシング４の前面には上部キャビネット８が配置されている。ユニット中央部には傾けられた熱交換器９が設置され、その下部には熱交換器９より発生するドレンを受けるためドレンパン１０が設けられている。上記熱交換器９の前面には電気品箱１１が配置され、また、その前面には上部キャビネット８と面一に中央キャビネット１２が電気品箱１１を覆うかたちで設置されている。中央キャビネット１２の下部の面一に吸込グリル１３が配置されている。
【００１０】
次に動作を説明する。空気調和機本体１を運転すると、室内空気は吸込グリル１２の吸込口１３より空気調和機本体１の内部に入る、内部に入った室内空気は送風機５により吸われ上昇し、熱交換器９を通過し熱交換される。その後、送風機用ケーシング４の両側の吸込口より入り送風機５により断熱アダプター７の送風路６、ダクトフランジ２を経由し空気調和機本体１より吹き出される。
【００１１】
実施の形態２．
以下、この発明の実施の形態２を図について説明する。図３はこの発明によるグリルの断面図、図４は吸込グリルの一部分解斜視図、図５、図６は要部拡大斜視図。図において、板金等で四角状に形成されたグリル枠１４は、両サイドにはそれぞれ複数個の内側方向に切り起こされた切起し舌片１５を備えた側面板１６が形成されており、下面には複数個の係止穴１７を有している。押し出し成形品で両側板の内寸法の長さに切断されたグリル１８は、断面Ａ形状をしており中央には突当て面１９を有し、上部羽根２０には内側に向いた複数個の上部位置決め用リブ２１を有し、下部羽根２２には内側に向いた複数個の下部位置決め用リブ２３及び、ストッパー２４を有している。なお、上部羽根２０の上部位置決め用リブ２１及び、下部羽根２２の下部位置決め用リブ２３の間には、上記切起し舌片１５の板厚分の隙間を有している。また、グリル１８の突当て面１９とストッパー２４の間隔は、上記切起し舌片１５の幅寸法と同一寸法となっている。
【００１２】
次に、組立て方法を説明する。グリル枠１４の両側面板１６の切り起された切起し舌片１５をグリル１８の両サイド切断面の上部羽根２０及び下部羽根２２の間に挿入する。そのまま進むと、グリル１８の弾性により上部羽根２０と下部羽根２２の角度が開き、切起し舌片１５はストッパー２４を乗り越して挿入されていく、更に進むと切起し舌片１５は、グリル１８の突当て面１９に突き当たり停止する。この時、切起し舌片１５は、前後で突当て面１９及びストッパー２４に固定され動けなくなる。上下方向は上部羽根２０の上部位置決め用リブ２１及び下部羽根２２の下部位置決め用リブ２３の間に挟時される。
【００１３】
こうして構成された吸込グリル１３は本体１の下部に設けられた係止片２５が上記吸込グリル１３下面の係止穴１７に挿入され固定される。上部は本体１に設けられたマグネット２６の磁性で固定される。
【００１４】
また、フィルタ２７清掃時等には、上記マグネットの磁力以上の力で吸込みグリル１３を引き、更に上へ持ち上げることで吸込グリル１３の係止片２５が本体１の係止穴１７より外れ、吸込グリル１３を本体１から外すことが可能となる。
【００１５】
実施の形態３．
以下、この発明の実施の形態３を図について説明する。図７はこの発明によるグリルの断面図、図８は吸込グリルの一部分解斜視図、図９は要部拡大斜視図。図において、四角状に板金等で形成されたグリル枠２８は、両サイドにそれぞれ複数個の内側方向に切り起された切起し舌片１５を備えた側面板１６が形成されており、下面には複数個の係止穴１７を設けている。押し出し成形品で両側板の内寸法の長さに切断したグリル２９は、断面Ｃ形状をしており一端の内側には突当て面１９を有し、上部羽根３０及びストッパー２４を有する下部羽根３１により構成されている。なお、上部羽根３０の内側面及び下部羽根３１の内側面の間には、上記切起し舌片１５の板厚分の隙間を有している。また、グリル２９の突当て面１９とストッパー２４の隙間は、上記切起し舌片１５の幅寸法と同一寸法となっている。
【００１６】
次に組立て方法を説明する。グリル枠２８の両側面板１６の切り起された切起し舌片１５を、グリル２９の両サイド切断面の上部羽根３０及び下部羽根３１の間に挿入する。そのまま進むと、グリル２９の弾性により上部羽根３０と下部羽根３１の角度が開き切起し舌片１５はストッパー２４を乗り越して挿入されていく、更に進むと切起し舌片１５はグリルの突当て面１９に突き当たり停止する。この時、切起し舌片１５は前後で突当て面１９及びストッパー２４に固定され動けなくなる。上下方向は上部羽根３０の内側面及び下部羽根３１の内側面の間に挟持される。
【００１７】
こうして構成された吸込グリル１３は本体１の下部に設けられた係止片２５、上記吸込グリル１３下面の係止穴７に挿入され固定される。上部は本体１に設けられたマグネット２６の磁性で固定される。
【００１８】
フィルター２７の清掃時等には、上記マグネット２６の磁力以上の力で吸込みグリル１３を引き、更に上へ持ち上げることで吸込みグリル１３の係止片２５が本体１の係止穴１７より外れ、吸込みグリル１３を本体１から外すことが可能となる。
【００１９】
【発明の効果】
以上説明した通りこの発明に係るダクト式空気調和機は、側面板を有する四角状に形成されたグリル枠と、このグリル枠の内側方向に複数切起し舌片と、断面くさび形に成形され、中央部に突当て面を設け、内側方向に上部位置決め用リブを設けた上部羽根と、内側方向に下部位置決め用リブ及びストッパーを備えた下部羽根を設けたグリルとにより構成されたので、金型費を最小限にとどめ且つ見栄えが良い吸込グリルを得ることができる。
【図面の簡単な説明】
【図１】  この発明の実施の形態１による空気調和機の断面図である。
【図２】  この発明の実施の形態１による空気調和機を示す分解斜視図である。
【図３】  この発明の実施の形態２によるグリルの断面図である。
【図４】  この発明の実施の形態２による吸込みグリルの一部分解斜視図である。
【図５】  この発明の実施の形態２による吸込みグリルの要部斜視図である。
【図６】  この発明の実施の形態３によるグリルの断面図である。
【図７】  この発明の実施の形態３による吸込みグリルの一部分解斜視図である。
【図８】  この発明の実施の形態３による吸込みグリルの要部斜視図である。
【図９】  この発明の実施の形態３による吸込みグリルの本体取付状態を示す要部斜視図である。
【符号の説明】
１  空気調和機本体、２  ダクト取付フランジ、３  ユニット天面、８  上部キャビネット、１２  中央キャビネット、１３  吸込グリル、１４  グリル枠、１５  切起し舌片、  １８  グリル、１９  突当て面、２０  上部羽根、２２  下部羽根、２４  ストッパー。
【図１】
0003815452.tif 000002
【図２】
0003815452.tif 000003
【図３】
0003815452.tif 000004
【図４】
0003815452.tif 000005
【図５】
0003815452.tif 000006
【図６】
0003815452.tif 000007
【図７】
0003815452.tif 000008
【図８】
0003815452.tif 000009
【図９】
0003815452.tif 000010